(57)【要約】    【課題】  部品の減少、省スペース化が図れる電子機器の筐体構造を提供する。    【解決手段】  シャーシにユニット２が抜止め螺子８により取付けられる電子機器の筐体構造に於いて、前記ユニットに設けられた前記抜止め螺子が抜け止用のワッシャ９を有し、前記シャーシのユニット取付け部に前記ワッシャが収納される凹部１５を形成した。    【選択図】          図３
2005079396.tif 000002
【特許請求の範囲】
【請求項１】
シャーシにユニットが抜止め螺子により取付けられる電子機器の筐体構造に於いて、前記ユニットに設けられた前記抜止め螺子が抜け止用のワッシャを有し、前記シャーシのユニット取付け部に前記ワッシャが収納される凹部を形成したことを特徴とする電子機器の筐体構造。
【発明の詳細な説明】
【技術分野】
【０００１】
本発明は、ユニットがシャーシに組込まれる構造を有する電子機器の筐体構造、特にパネルとシャーシ間の取付け構造に関するものである。
【背景技術】
【０００２】
無線通信の中継基地に設置される中継接続装置等の大型の電子機器では、機能毎にユニット化され、ユニットはシャーシに対して着脱可能となっている。
【０００３】
図８〜図１１に於いて、従来の電子機器の筐体構造について説明する。
【０００４】
図中、１はシャーシ、２はユニットを示している。
【０００５】
前記シャーシ１は主に側板３、底板４、及び前記側板３，３間に掛渡って設けられる構造部材５等から構成され、該構造部材５の１つは前記側板３の前端に前記底板４と対向して設けられ、前記ユニット２の支持部材となっている。前記シャーシ１の背面には前記ユニット２と電気的に接続されるバックボード（図示せず）が設けられている。
【０００６】
前記ユニット２は前記シャーシ１に設けられたガイドレール（図示せず）等を介して前記シャーシ１に挿入される様になっており、完全に挿入された状態では前記ユニット２の背面に設けられたコネクタ１０が前記バックボード側のコネクタ（図示せず）に嵌合することで、前記ユニット２と前記バックボードとが電気的に接続される。
【０００７】
前記ユニット２の前記シャーシ１への取付けは、前記ユニット２の前面に設けられている前パネル６を前記構造部材５、前記底板４に螺子止する。前記前パネル６に使用される螺子は、保守時の作業性が考慮され、抜け止螺子８が用いられることが多い。
【０００８】
図１０、図１１に於いて、従来の前記ユニット２の前記シャーシ１への取付け構造について説明する。
【０００９】
前記構造部材５のパネル取付け面の反対側には螺子座７がカシメ等により固着されている。該螺子座７は、前面側から形成された凹部７ａを有すると共に雌螺子７ｂが穿設されている。前記前パネル６には前記抜け止螺子８が挿通され、該抜け止螺子８は摘み部８ａ、螺子部８ｂを有し、前記抜け止螺子８が前記前パネル６に挿通された状態で前記摘み部８ａとの間で前記前パネル６を挾む様に抜け止用のワッシャ９が前記螺子部８ｂの基部に嵌装されている。
【００１０】
前記ユニット２を取付けた状態では、前記螺子部８ｂが前記雌螺子７ｂに螺合し、前記抜け止螺子８を締付けることにより前記前パネル６が前記構造部材５に固着される。前記ユニット２を取外す場合は、前記抜け止螺子８を緩める。該抜け止螺子８を緩めることで、前記螺子部８ｂが前記雌螺子７ｂから外れる。前記ワッシャ９は前記螺子部８ｂから外れない様になっているので、前記前パネル６が前記構造部材５から外れた状態でも、前記ワッシャ９が前記抜け止螺子８の抜け止となり、該抜け止螺子８が前記前パネル６から脱落することがなく、該前パネル６の着脱時に前記抜け止螺子８を落したりすることがない。
【００１１】
尚、複数のユニットをシャーシに着脱可能に取付ける構造の電子機器の筐体構造については、例えば特許文献１に示されるものがある。
【００１２】
【特許文献１】特開２００１−６８８６７号公報
【発明の開示】
【発明が解決しようとする課題】
【００１３】
上記した従来の電子機器の筐体構造では、１つ１つの螺子孔に対して螺子座７を取付ける必要があり、部品点数が多くなり、作業工数が増え製作コストに影響する。又、螺子座７を取付ける為のスペースが必要であり、小型化の障害となる等の問題があった。
【００１４】
本発明は斯かる実情に鑑み、部品の減少、省スペース化が図れる電子機器の筐体構造を提供するものである。
【課題を解決するための手段】
【００１５】
本発明は、シャーシにユニットが抜止め螺子により取付けられる電子機器の筐体構造に於いて、前記ユニットに設けられた前記抜止め螺子が抜け止用のワッシャを有し、前記シャーシのユニット取付け部に前記ワッシャが収納される凹部を形成した電子機器の筐体構造に係るものである。
【発明の効果】
【００１６】
本発明によれば、シャーシにユニットが抜止め螺子により取付けられる電子機器の筐体構造に於いて、前記ユニットに設けられた前記抜止め螺子が抜け止用のワッシャを有し、前記シャーシのユニット取付け部に前記ワッシャが収納される凹部を形成したので、ユニット取付け部の構造が簡単になり、又凹部を形成する為に必要なスペースが少なくてすみ電子機器の小型化が可能となる等の優れた効果を発揮する。
【発明を実施するための最良の形態】
【００１７】
以下、図面を参照しつつ本発明を実施する為の最良の形態を説明する。
【００１８】
尚、電子機器の全体の筐体構造については、図８で示したものと同様であり、説明を省略する。
【００１９】
図１〜図５は第１の実施の形態を示しており、図１〜図５中、図８中で示したものと同等のものには同符号を付してある。
【００２０】
構造部材５の前パネル６が当接する取付け部５ａに切欠１１を形成し、前記取付け部５ａの背面側から前記切欠１１を塞ぐ様にナットプレート１２をリベット付、螺子止め或はスポット溶接等所要の手段で固着し、前記ナットプレート１２には螺子孔１３が穿設されている。前記ナットプレート１２を固着することで、前記切欠１１と前記ナットプレート１２とで凹部が形成される。
【００２１】
同様に、底板４の前記前パネル６が当接する取付け部４ａに切欠１４を形成し、前記螺子孔１３が穿設された前記ナットプレート１２を前記切欠１４を塞ぐ様に前記取付け部４ａの背面側から固着する。前記切欠１４と前記ナットプレート１２によって凹部が形成される。
【００２２】
前記前パネル６に抜止め螺子８を挿通し、螺子部８ｂの基部に抜止め用のワッシャ９を嵌装する。前記抜止め螺子８は前記前パネル６に対して回転自在であるが、前記ワッシャ９によって抜脱できない様になっており、前記抜止め螺子８はユニット２が取外された状態でも、前パネル６に取付けられたままとなっている。
【００２３】
前記ユニット２をシャーシ１に挿入し、前記前パネル６を前記取付け部５ａ、前記取付け部４ａに当接させる。前記抜止め螺子８を前記ナットプレート１２に螺合させ、締付ける。尚、図示していないが前記ユニット２のコネクタはバックボードのコネクタに嵌合し、前記ユニット２とバックボードとの電気的な接続が行われる。
【００２４】
前記前パネル６が前記底板４の取付け部４ａ、前記構造部材５の取付け部５ａにそれぞれ前記抜止め螺子８、前記ナットプレート１２を介して固着されることで前記ユニット２の前記シャーシ１への実装が完了する。又、前記取付け部５ａに前記切欠１１が形成され、前記取付け部４ａに前記切欠１４が形成されていることから、前記前パネル６と前記ナットプレート１２と間には、前記凹部により前記取付け部４ａ、前記取付け部５ａの板厚分の空間１５（図３参照）が形成されており、前記ワッシャ９は前記空間１５に収納される。
【００２５】
前記ユニット２の取外しは、前記抜止め螺子８を回して前記ナットプレート１２との螺合を解除すればよい。
【００２６】
尚、上記実施の形態中、前記切欠１１、前記切欠１４を形成することで、前記空間１５が形成される様にしたが、前記切欠１１、前記切欠１４の代りに前記ワッシャ９より充分大きい孔を穿設してもよい。又、前記ナットプレート１２は１つの切欠１１、切欠１４に対してそれぞれ個別に設けたが、全ての切欠１１又は切欠１４を塞ぐ１枚のものとし、前記切欠１１、前記切欠１４に対応する複数の螺子孔１３を穿設したものでもよい。
【００２７】
上述した様に、前記取付け部５ａに直接前記切欠１１を形成し、前記取付け部５ａの板厚を利用して前記ワッシャ９が収納される凹部を形成したので、ユニット取付け部の構造が簡単になり、又凹部を形成する為に必要なスペースが少なくてすみ電子機器の小型化が可能となる。
【００２８】
図６、図７は第２の実施の形態を示している。
【００２９】
図６、図７中、図４中で示したものと同等のものには同符号を付してある。
【００３０】
図７は構造部材５の取付け部５ａにプレス加工で押出し部５ｂを背面側に押出し、ブリッジ状に形成し、該押出し部５ｂに螺子孔１３を穿設してある。前記押出し部５ｂの押出し量（凹部の深さ）は少なくとも、ワッシャ９の厚み以上となっている。
【００３１】
図７はユニット２をシャーシ１に取付けた状態を示しており、前パネル６に挿通された抜止め螺子８が前記押出し部５ｂの前記螺子孔１３に螺着することで、前記ユニット２が前記シャーシ１に固定される。前記前パネル６と前記押出し部５ｂとの間には前記凹部によって空間１５が形成され、該空間１５に前記ワッシャ９が収納される。
【００３２】
尚、押出し部５ｂの押出し形状はブリッジ状に限らず、円形その他の形状に押出してもよい。
【００３３】
本第２の実施の形態では、前記空間１５を形成する為の別部品が必要なくなり、部品点数が少なくなり、又プレス加工により成形するので、加工費が低減される。
【図面の簡単な説明】
【００３４】
【図１】本発明の第１の実施の形態を示す要部斜視図である。
【図２】図１のＡ矢視図である。
【図３】図１のＢ−Ｂ矢視図である。
【図４】本発明の第１の実施の形態に於けるシャーシ１の要部斜視図である。
【図５】図４のＣ部拡大図である。
【図６】本発明の第２の実施の形態を示す要部斜視図である。
【図７】図６のＤ−Ｄ矢視図である。
【図８】従来例の部分斜視図である。
【図９】電子機器の筐体構造に実装されるユニットの側面図である。
【図１０】従来例の要部斜視図である。
【図１１】図１０のＥ−Ｅ矢視相当図である。
【符号の説明】
【００３５】
１              シャーシ
２              ユニット
３              側板
５              構造部材
５ａ            取付け部
５ｂ            押出し部
８              抜止め螺子
９              ワッシャ
１１            切欠
１２            ナットプレート
１３            螺子孔
１４            切欠
１５            空間
【図１】
2005079396.tif 000003
【図２】
2005079396.tif 000004
【図３】
2005079396.tif 000005
【図４】
2005079396.tif 000006
【図５】
2005079396.tif 000007
【図６】
2005079396.tif 000008
【図７】
2005079396.tif 000009
【図８】
2005079396.tif 000010
【図９】
2005079396.tif 000011
【図１０】
2005079396.tif 000012
【図１１】
2005079396.tif 000013